(57)【特許請求の範囲】
【請求項１】
長手方向に沿った溝を底面に有するとともに壁面に取り付けるための取付ねじが挿通される取付孔が前記溝に所定の間隔で設けられ壁面に当接して取り付けられる配管ダクト本体と、前記取付孔に連通する挿通孔を有して前記溝に嵌合する嵌合部と、該嵌合部が溝に嵌合した状態で前記配管ダクト本体の底面から突出して壁面において前記配管ダクト本体が当接する部位よりも窪んだ部位に当接するとともに前記底面からの突出量を可変するように切除自在に形成される脚部とを備えた施工治具とからなることを特徴とする配管ダクト。
【請求項２】
前記嵌合部を前記溝に圧入嵌合して成ることを特徴とする請求項１記載の配管ダクト。
【請求項３】
前記挿通孔を前記取付孔に対応する形状に形成したことを特徴とする請求項１又は２記載の配管ダクト。
【請求項４】
前記脚部に切除の目安となる段差を設けて成ることを特徴とする請求項１又は２又は３記載の配管ダクト。
【請求項５】
前記脚部の少なくとも一部分を切り欠いて成ることを特徴とする請求項１〜４の何れかに記載の配管ダクト。
【発明の詳細な説明】
【０００１】
【発明の属する技術分野】
本発明は、エアコン用の配管等を収容する配管ダクトを壁面に沿って配設する際に用いられる配管ダクトに関するものである。
【０００２】
【従来の技術】
従来の配管ダクトは配管ダクト本体２０のみからなっていた。配管ダクト本体２０は合成樹脂により筒状に形成され、底面を壁に当接させた状態で取付ねじにより壁に固定され、例えば、図５に示すように室内から室外に配管されるエアコン用の冷媒管やドレン管等の管の室外部分を壁Ｗに沿って収容するものである（実開平４−１０９２９４号、実開平３−７２２３１号、実開昭６２−５５７９７号、実開昭５６−１５３７７０号並びに特開平９−２５０６７９号の各公報参照）。
【０００３】
配管ダクト本体２０の底面には長手方向に沿って溝が設けてあり、この溝に前記取付ねじが挿通される取付孔が所定の間隔で穿孔してある。つまり、底面を壁面に当接させた状態で取付孔に挿通した取付ねじを壁に螺合することで配管ダクト本体２０を壁Ｗに固定するのである。
【０００４】
【発明が解決しようとする課題】
ところが、配管ダクト本体２０の取付孔に重なる壁面に凹凸がある場合、施工が非常に困難になる。すなわち、凹凸によって配管ダクト本体２０の底面と壁面との間に大きな隙間が生じることとなるから、このような隙間が生じている状態で取付ねじを締め過ぎると配管ダクト本体２０の変形を招き、反対に緩過ぎると配管ダクト本体２０のがたつきや落下の原因になってしまうことから、正常な施工が非常に難しくなるという問題があった。
【０００５】
本発明は上記問題に鑑みて為されたものであり、その目的とするところは、凹凸のある壁面にも確実且つ容易に取り付けることができる配管ダクトを提供することにある。
【０００６】
【課題を解決するための手段】
請求項１の発明は、上記目的を達成するために、長手方向に沿った溝を底面に有するとともに壁面に取り付けるための取付ねじが挿通される取付孔が前記溝に所定の間隔で設けられ壁面に当接して取り付けられる配管ダクト本体と、前記取付孔に連通する挿通孔を有して前記溝に嵌合する嵌合部と、該嵌合部が溝に嵌合した状態で前記配管ダクト本体の底面から突出して壁面において前記配管ダクト本体が当接する部位よりも窪んだ部位に当接するとともに前記底面からの突出量を可変するように切除自在に形成される脚部とを備えた施工治具とからなることを特徴とし、配管ダクト本体の底面と壁面との間に隙間が生じる場合でも、その隙間に合わせて脚部を切除することで配管ダクト本体の底面から突出する脚部を壁面に当接させることができ、嵌合部の挿通孔に挿通した取付ねじを締め付けても配管ダクト本体が変形することがなく、その結果、凹凸のある壁面にも確実且つ容易に取り付けることができる。
【０００７】
請求項２の発明は、請求項１の発明において、前記嵌合部を前記溝に圧入嵌合して成ることを特徴とし、請求項１の発明の作用に加えて、嵌合部が不用意に溝から外れてしまうことが防止できる。
【０００８】
請求項３の発明は、請求項１又は２の発明において、前記挿通孔を前記取付孔に対応する形状に形成したことを特徴とし、請求項１又は２の発明の作用に加えて、施工作業がさらに容易に行える。
【０００９】
請求項４の発明は、請求項１又は２又は３の発明において、前記脚部に切除の目安となる段差を設けて成ることを特徴とし、請求項１又は２又は３の発明の作用に加えて、脚部の突出量が容易に調節できる。
【００１０】
請求項５の発明は、請求項１〜４の何れかの発明において、前記脚部の少なくとも一部分を切り欠いて成ることを特徴とし、請求項１〜４の何れかの発明の作用に加えて、切り欠いた部分からニッパやカッタ等の工具を挿入して簡単に切除することができる。
【００１１】
【発明の実施の形態】
以下、図面を参照して本発明の一実施形態を詳細に説明する。
【００１２】
本実施形態は配管ダクト本体２０と施工治具１とからなる。まず、配管ダクト本体２０について説明する。この配管ダクト本体２０は、図１に示すように取付ベース２１と、隠蔽カバー２２とで構成される。取付ベース２１は、所定長さを有する硬質樹脂製であって、壁面への取着壁２３と、その幅方向両端部に立設される一対の対向側壁２４，２４とを有する略コ字形に形成され、取付ねじ２５により壁面に取り付けられる。また、取着壁２３は壁面に当接する当接部２６と、当接部２６の中央から内側に突出する凹溝状に形成されるとともに取付ねじ２５が挿通される取付孔２８…が溝の底面に形成された取付部２７とを有する。取付孔２８は長孔状であって、その長手方向が取付ベース２１の長手方向に一致する向きと略直交する向きとに交互に取付部２７の長手方向に所定間隔で設けてある。
【００１３】
対向側壁２４は隠蔽カバー２２と弾性係合させるために左右外方に若干開くように形成され、その先端部には隠蔽カバー２２の係合部２９が係合する被係合部３０が設けられる。被係合部３０は、段部３１と、係止部３２と、係合溝３３とからなり、具体的には、対向側壁２４の先端部分を取着壁２３と略平行に内方に折曲することによって段部３１が設けられ、そこからさらに取着壁２３と離反する方向に向かって略直角に折曲しその先端部を外方に向かって丸めることにより、段部３１から所定間隔おいて断面略円形のヒンジ状の係止部３２が設けられる。そして、所定間隔離れた段部３１と係止部３２の間の間隙を係合溝３３としている。また、段部３１は隠蔽カバー２２を取付ベース２１内方に重ねて収納した場合に、隠蔽カバー２２の軸回方向の変位を抑止する変位抑止部としても機能する。さらに、係止部３２の中心にはタッピングねじの軸部を挿着可能な係止用孔３４が設けられ、この係止用孔３４に取付ベース２１と隠蔽カバー２２とを係合させて組み合わせた状態でタッピングねじをねじ込んで挿着した場合、タッピングねじの頭部が取付ベース２１の被係合部３０の軸方向端縁と隠蔽カバー２２の係合部２９の軸方向端縁の両方に係止する。
【００１４】
隠蔽カバー２２は、取付ベース２１と同様に所定長さを有する硬質樹脂製のものであり、取付ベース２１と係合することにより筒状の配管ダクト本体２０を構成し、取付ベース２１との間に配管を収容する。この隠蔽カバー２２は、天板壁３５と、その幅方向両端部に立設された一対の係合壁３６，３６とから成り、天板壁３５は取付ベース２１と係合した状態において取付ベース２１の取着壁２３に対向し、その幅方向の長さが取付ベース２１の対向側壁２４，２４間の最も狭い距離よりも短く形成される。この天板壁３５から係合壁３６に至るコーナ部３７がテーパ状に形成してある。
【００１５】
係合壁３６は天板壁３５と略直角に設けられ、対向距離が取付ベース２１の対向側壁２４，２４間の距離と略同一に形成される。この係合壁３６には係合部２９が設けられ、取付ベース２１の被係合部３０に外方から係合する。係合部２９は、係合片３８並びに補強係止部３９から成り、係合片３８は係合壁３６の先端部分を内方に向かって略直角に折曲することにより、取付ベース２１の係合溝３３に係合するとともに段部３１に平行に当接するよう設けられる。この係合片３８は、その先端間の距離が取付ベース２１の係合溝３３の底部間の距離より若干短く形成されることにより、係合溝３３と弾性係合するようになっている。また、補強係止部３９は、係合片３８との間に取付ベース２１の係止部３２を挟む位置に設けられるもので、取付ベース２１の係止部３２に当接するとともに、天板壁３５側からの圧力を支持する。この補強係止部３９は、天板壁３５に略平行な当接片４０と、天板壁３５に略垂直な支持片４１とから成る。
【００１６】
この隠蔽カバー２２は、その天板壁３５を取付ベース２１の対向側壁２４，２４間の開口部に押し込むことにより、コーナ部３７及び係合壁３６が誘いとなって、図２に示すように、取付ベース２１の内方に容易に重ねて収納することができる。そして、その係合片３８が取付ベース２１の段部３１に内方から当接することにより、隠蔽カバー２２の軸回方向の変位が抑止され、安定した収納状態を得ることができる。従って、非使用時の取扱い性が優れたものとなり、梱包、運搬、保管等を効率良く行うことができる。また、切断使用時の切断作業も容易に行うことができる。
【００１７】
この配管ダクト本体２０を壁面に配設するには、壁面の所要の位置に設けたねじ孔に取付孔２８を重ねるようにして当接部２６を壁面に当接させた状態で、木ねじ等から成る取付ねじ２５を上記ねじ孔に螺合させて締め付けて取付ベース２１を壁面に固定した後、収容する管を取付ベース２１に沿って配管し、隠蔽カバー２２を取付ベース２１に係合する。
【００１８】
次に施工治具１について説明する。
【００１９】
施工治具１は、図２及び図３に示すように配管ダクト本体２０（取付ベース２１）の取付孔２８に連通する挿通孔４を有して取付ベース２１の溝状の取付部２７に嵌合する嵌合部２と、嵌合部２が取付部２７に嵌合した状態で配管ダクト本体２０の底面（取付ベース２１の当接部２６）から突出して壁面に当接するとともに底面（当接部２６）からの突出量を可変するように切除自在に形成される脚部３とを備え、例えば配管ダクト本体２０と同様に硬質樹脂等で一体に形成されている。
【００２０】
嵌合部２は矩形箱状であって、短辺の幅寸法が取付ベース２１の取付部２７の幅寸法に略等しくあるいは若干大きく且つ高さ寸法が取付部２７の深さ寸法に略等しく形成されて凹溝状の取付部２７に圧入嵌合される。このように嵌合部２を凹溝状の取付部２７に圧入嵌合するようにすれば、嵌合部２が不用意に取付部２７から外れてしまうことが防止できるという利点がある。また、挿通孔４は嵌合部２の底面に略十字形に形成される。すなわち、長孔状の取付孔２８にはその長手方向が取付部２７の長手方向に一致するものと取付部２７の長手方向に略直交するものとがあるので、何れの取付孔２８とも重なるように挿通孔４の形状を略十字形とし、挿通孔４を取付孔２８に対応する形状とすることで施工作業が容易に行えるようにしている。
【００２１】
一方、脚部３は嵌合部２の開口端縁から後方に向けて突出する階段状に形成されており、嵌合部２の長手方向に沿って対向する両側面を略矩形に切り欠いて成る切欠部５，５が設けてある。
【００２２】
上述のように構成される施工治具１は、配管ダクト本体２０を壁面に配設する際に以下のようにして使用される。
【００２３】
図４に示すように配管ダクト本体２０を配設する壁１０の表面（壁面）に凹部１１があり、しかも、この凹部１１に取付ベース２１の取付孔２８が重なる場合には、凹部１１によって取付ベース２１の当接部２６を壁面と当接させることができないから、取付孔２８に挿通した取付ねじ２５を締め付け過ぎたときに取付ベース２１が変形してしまったり、反対に取付ねじ２５の締め付けが緩いと取付ベース２１のがたつきが生じてしまう。そこで、このような凹部１１に対向する取付ベース２１の取付部２７に施工治具１の嵌合部２を嵌合して取り付ければ、図４に示すように取付ベース２１の底面（当接部２６）から突出した施工治具１の脚部３が凹部１１の底面において壁面に当接することとなる。而して、取付ベース２１の取付孔２８に挿通した取付ねじ２５を、施工治具１の嵌合部２に設けた挿通孔４に挿通させて壁面に螺合させることができ、施工治具１の脚部３が壁面の凹部１１底面に当接しているから、取付ねじ２５を締め付けても取付ベース２１が変形することがなく、壁１０に強固に固定することができるものである。
【００２４】
ここで、施工治具１の脚部３は合成樹脂製であって切除自在に形成されているので、凹部１１の深さに応じて取付ベース２１からの脚部３の突出量を調節することができる。また、脚部３が階段状に形成されているので、突出量が略均一になるように容易に切除することができる。さらに、脚部３に設けた切欠部５からニッパやカッタ等の工具を挿入して簡単に切除することができるという利点がある。
【００２５】
【発明の効果】
請求項１の発明は、長手方向に沿った溝を底面に有するとともに壁面に取り付けるための取付ねじが挿通される取付孔が前記溝に所定の間隔で設けられ壁面に当接して取り付けられる配管ダクト本体と、前記取付孔に連通する挿通孔を有して前記溝に嵌合する嵌合部と、該嵌合部が溝に嵌合した状態で前記配管ダクト本体の底面から突出して壁面において前記配管ダクト本体が当接する部位よりも窪んだ部位に当接するとともに前記底面からの突出量を可変するように切除自在に形成される脚部とを備えた施工治具とからなるので、配管ダクト本体の底面と壁面との間に隙間が生じる場合でも、その隙間に合わせて脚部を切除することで配管ダクト本体の底面から突出する脚部を壁面に当接させることができ、嵌合部の挿通孔に挿通した取付ねじを締め付けても配管ダクト本体が変形することがなく、その結果、凹凸のある壁面にも確実且つ容易に取り付けることができるという効果がある。
【００２６】
請求項２の発明は、前記嵌合部を前記溝に圧入嵌合して成るので、請求項１の発明の効果に加えて、嵌合部が不用意に溝から外れてしまうことが防止できるという効果がある。
【００２７】
請求項３の発明は、前記挿通孔を前記取付孔に対応する形状に形成したので、請求項１又は２の発明の効果に加えて、施工作業がさらに容易に行えるという効果がある。
【００２８】
請求項４の発明は、前記脚部に切除の目安となる段差を設けて成るので、請求項１又は２又は３の発明の効果に加えて、脚部の突出量が容易に調節できるという効果がある。
【００２９】
請求項５の発明は、前記脚部の少なくとも一部分を切り欠いて成るので、請求項１〜４の何れかの発明の効果に加えて、切り欠いた部分からニッパやカッタ等の工具を挿入して簡単に切除することができるという効果がある。
【図面の簡単な説明】
【図１】本発明の一実施形態を示す分解斜視図である。
【図２】同上を示す斜視図である。
【図３】同上の施工治具を示す斜視図である。
【図４】同上を壁面に配設した状態の側断面図である。
【図５】従来例の施工例を示す斜視図である。
【符号の説明】
１  施工治具
２  嵌合部
３  脚部
４  挿通孔
５  切欠部
２０  配管ダクト本体
２７  取付部
２８  取付孔
【図１】
0003570290.tif 000002
【図２】
0003570290.tif 000003
【図３】
0003570290.tif 000004
【図４】
0003570290.tif 000005
【図５】
0003570290.tif 000006